(57)【要約】【課題】ドライバーなどの工具を用いないで容易に基板の挿入および係止を可能にすること。【解決手段】遊技盤裏面保護部材１に取り付け可能に構成され、内部に中継基板２を収納可能に構成され矩形に形成された中継基板取り付け部材３の底面部３０より基板挿入口側の１辺を除く３辺に垂直方向に直立した基板支持壁３２、３３、３４を設けるとともに、該基板支持壁３２、３４には基板保持用の溝３２１、３４１を設け、また前記基板挿入口側の中継基板取り付け部材の底面部３０１には、複数の基板係止部材用穴５が穿設され、該複数の基板係止部材用穴５内に介挿され、上端部４１が前記底面部３０より前記基板支持壁３２、３４の前記溝３２１、３４１に挿入された前記中継基板２の下面の高さ以上に突出可能で、且つ、前記底面部３の下面側の前記複数の穴５の段部内に下端４２が収納可能な基板係止部材４を備えているパチンコ遊技機における基板取り付け部材である。【選択図】図２
2006141742.tif 000002
【特許請求の範囲】
【請求項１】
遊技盤裏面保護部材に取り付け可能に構成され、内部に基板を収納可能に構成された基板取り付け部材であって、
基板取り付け部材の底面部より基板挿入口の１辺を除く少なくとも平行な２辺に垂直方向に直立した基板支持壁を設けるとともに、該基板支持壁の対向壁には前記基板取り付け部材の底面と平行となるように基板の挿入を可能にする基板保持用の溝を設け、
また、前記基板取り付け部材の前記基板挿入口側の底面部には、収没状態においては前記基板の下面より上端部が下方に位置して前記基板の挿入を可能にするとともに、突出状態においては前記基板の下面より前記上端部が上方に位置して前記基板を係止する基板係止部材が、収没および突出自在に設けられている
ことを特徴とするパチンコ遊技機における基板取り付け部材。
【請求項２】
請求項１において、
前記基板取り付け部材が、前記遊技盤裏面保護部材に取り付けられた時、前記基板係止部材の下端部が、前記遊技盤裏面保護部材の表面に当接した状態となり、前記基板係止部材の前記上端部が前記基板の下面より上方に位置して前記基板を係止する突出状態を構成する
ことを特徴とするパチンコ遊技機における基板取り付け部材。
【請求項３】
請求項１において、
前記基板取り付け部材が、前記遊技盤裏面保護部材に取り付けられた時、前記基板係止部材の突出状態においては、前記基板係止部材の下端部が、前記基板取り付け部材の前記底面部の下面を係止した状態になるとともに、前記基板係止部材の前記上端部が前記基板の上面を係止した状態になり、前記基板係止部材によって前記基板取り付け部材の前記底面部および前記基板を挟着した状態を構成する
ことを特徴とするパチンコ遊技機における基板取り付け部材。
【請求項４】
請求項１ないし請求項３のいずれかにおいて、
前記基板取り付け部材の下面に、下方に突出して先端部が略直角に屈曲して前記遊技盤裏面保護部材の穴部に係止される複数の突出片が、一体的に形成されている
ことを特徴とするパチンコ遊技機における基板取り付け部材。
【請求項５】
請求項１ないし請求項３のいずれかにおいて、
前記基板係止部材の少なくとも下端部が、前記基板係止部材のその他の部分とは別部材によって構成され、
前記基板係止部材の少なくとも下端部と、前記基板取り付け部材の前記基板挿入口側の底面部に形成された基板係止部材用の穴に挿入されたその他の部分とが固着手段によって固着されている
ことを特徴とするパチンコ遊技機における基板取り付け部材。
【請求項６】
請求項１ないし請求項３のいずれかにおいて、
前記基板係止部材が、ゴム状の弾性部材によって構成されている
ことを特徴とするパチンコ遊技機における基板取り付け部材。
【発明の詳細な説明】
【技術分野】
【０００１】
本発明は、遊技盤裏面保護部材に取り付け可能に構成され、内部に基板を収納可能に構成された基板取り付け部材に関するものである。
【背景技術】
【０００２】
近年のパチンコ遊技機は、電子化が進むに従いその内部構成も複雑化し、コンピュータ化も進んでいる。そのような中で、不正な操作が行えないような公正な遊技機を市場に流通させるため、遊技機が市場に出回る前には必ず所定の検査機関で検定試験を受けねばならないといった事情がある。
【０００３】
その際には遊技機より必要な検査情報を外部計測機器に出力せねばならないわけであるが、これら外部出力を行うための専用コネクター類は通常時、不正操作防止のために厳重に基板ケースなどに収納された状態で守られているものであるため、検査が必要な場合であっても、配線の取り回しが難しいものであった。
【０００４】
また、ホールの営業管理といった場面でも、通常の遊技機は釘調整などの方法により出球の調整を行うものであるが、その出球調整を正確なものとするためには発射球数や払い出し球数などを検出し外部のコンピュータなどに出力することによって出球率を正確に把握し管理することが望ましいものである。よってこのような場面でも容易に配線の取り回しが出来るという要請があった。
【０００５】
このような状況および要請を受けて、従来の遊技機は、検査情報を外部出力できるように遊技機の背面に着脱可能な中継端子板または基板を設けることにより、コネクターを介して遊技情報を容易に外部コンピュータと接続可能にしたものがあった。
【特許文献１】特開２００１−２４６１１７号公報
【特許文献２】特開２００４−１７３９０２号公報
【発明の開示】
【発明が解決しようとする課題】
【０００６】
しかしながら、このような上記従来の遊技機は、前記中継端子板または基板をビス等によって遊技機の背面に固着するものであるため、検査時の前記中継端子板または基板の着脱がドライバーなどの工具による操作が必要であり、面倒であるとともに、多くの着脱時間が必要であるという問題点があった。
【０００７】
本発明者は、遊技盤裏面保護部材に取り付け可能に構成され、内部に基板を収納可能に構成された基板取り付け部材であって、基板取り付け部材の底面部より基板挿入口の１辺を除く少なくとも平行な２辺に垂直方向に直立した基板支持壁を設けるとともに、該基板支持壁の対向壁には前記基板取り付け部材の底面と平行となるように基板の挿入を可能にする基板保持用の溝を設け、また、前記基板取り付け部材の前記基板挿入口側の底面部において、収没状態においては前記基板の下面より基板係止部材の上端部が下方に位置して前記基板の挿入を可能にするとともに、突出状態においては前記基板の下面より前記基板係止部材の前記上端部が上方に位置して挿入された前記基板を係止するという技術的思想に着眼し、更に研究開発を重ねた結果、前記基板係止部材の収没状態および突出状態の操作により、ドライバーなどの工具を用いないで容易に前記基板の挿入および係止を可能にするという目的を達成する本発明に到達した。
【課題を解決するための手段】
【０００８】
本発明（請求項１に記載の第１発明）のパチンコ遊技機における基板取り付け部材は、
遊技盤裏面保護部材に取り付け可能に構成され、内部に基板を収納可能に構成された基板取り付け部材であって、
基板取り付け部材の底面部より基板挿入口の１辺を除く少なくとも平行な２辺に垂直方向に直立した基板支持壁を設けるとともに、該基板支持壁の対向壁には前記基板取り付け部材の底面と平行となるように基板の挿入を可能にする基板保持用の溝を設け、
また、前記基板取り付け部材の前記基板挿入口側の底面部には、収没状態においては前記基板の下面より上端部が下方に位置して前記基板の挿入を可能にするとともに、突出状態においては前記基板の下面より前記上端部が上方に位置して前記基板を係止する基板係止部材が、収没および突出自在に設けられている
ものである。
【０００９】
本発明（請求項２に記載の第２発明）のパチンコ遊技機における基板取り付け部材は、
前記第１発明において、
前記基板取り付け部材が、前記遊技盤裏面保護部材に取り付けられた時、前記基板係止部材の下端部が、前記遊技盤裏面保護部材の表面に当接した状態となり、前記基板係止部材の前記上端部が前記基板の下面より上方に位置して前記基板を係止する突出状態を構成する
ものである。
【００１０】
本発明（請求項３に記載の第３発明）のパチンコ遊技機における基板取り付け部材は、
前記第１発明において、
前記基板取り付け部材が、前記遊技盤裏面保護部材に取り付けられた時、前記基板係止部材の突出状態においては、前記基板係止部材の下端部が、前記基板取り付け部材の前記底面部の下面を係止した状態になるとともに、前記基板係止部材の前記上端部が前記基板の上面を係止した状態になり、前記基板係止部材によって前記基板取り付け部材の前記底面部および前記基板を挟着した状態を構成する
ものである。
【００１１】
本発明（請求項４に記載の第４発明）のパチンコ遊技機における基板取り付け部材は、
前記第１発明ないし第３発明のいずれかにおいて、
前記基板取り付け部材の下面に、下方に突出して先端部が略直角に屈曲して前記遊技盤裏面保護部材の穴部に係止される複数の突出片が、一体的に形成されている
ものである。
【００１２】
本発明（請求項５に記載の第５発明）のパチンコ遊技機における基板取り付け部材は、
前記第１発明ないし第３発明のいずれかにおいて、
前記基板係止部材の少なくとも下端部が、前記基板係止部材のその他の部分とは別部材によって構成され、
前記基板係止部材の少なくとも下端部と、前記基板取り付け部材の前記基板挿入口側の底面部に形成された基板係止部材用の穴に挿入されたその他の部分とが固着手段によって固着されている
ものである。
【００１３】
本発明（請求項６に記載の第６発明）のパチンコ遊技機における基板取り付け部材は、
前記第１発明ないし第３発明のいずれかにおいて、
前記基板係止部材が、ゴム状の弾性部材によって構成されている
ものである。
【発明の効果】
【００１４】
上記構成より成る第１発明のパチンコ遊技機における基板取り付け部材は、遊技盤裏面保護部材に取り付け可能に構成され、内部に基板を収納可能に構成された基板取り付け部材であって、基板取り付け部材の底面部より基板挿入口の１辺を除く少なくとも平行な２辺に垂直方向に直立した基板支持壁を設けるとともに、該基板支持壁の対向壁には前記基板取り付け部材の底面と平行となるように基板の挿入を可能にする基板保持用の溝を設け、また、前記基板取り付け部材の前記基板挿入口側の底面部において、収没状態においては前記基板の下面より基板係止部材の上端部が下方に位置して前記基板の挿入を可能にするとともに、突出状態においては前記基板の下面より前記基板係止部材の前記上端部が上方に位置して挿入された前記基板を係止するので、前記基板係止部材の収没状態および突出状態の操作により、ドライバーなどの工具を用いないで容易に前記基板の挿入および係止を可能にするという効果を奏する。
【００１５】
上記構成より成る第２発明のパチンコ遊技機における基板取り付け部材は、前記第１発明において、前記基板取り付け部材が、前記遊技盤裏面保護部材に取り付けられた時、前記基板係止部材の下端部が、前記遊技盤裏面保護部材の表面に当接した状態となり、前記基板係止部材の前記上端部が前記基板の下面より上方に位置して突出状態となり、挿入された前記基板を係止するので、前記中継基板取り付け部材の前記遊技盤裏面保護部材への取り付けにより、突出状態となった前記基板係止部材によって挿入された前記基板が係止されるという効果を奏する。
【００１６】
上記構成より成る第３発明のパチンコ遊技機における基板取り付け部材は、前記第１発明において、前記基板取り付け部材が、前記遊技盤裏面保護部材に取り付けられた時、前記基板係止部材の突出状態においては、前記基板係止部材の下端部が、前記基板取り付け部材の前記底面部の下面を係止した状態になるとともに、前記基板係止部材の前記上端部が前記基板の上面を係止した状態になり、前記基板係止部材によって前記基板取り付け部材の前記底面部および前記基板を挟着した状態で係止されるので、前記基板が確実に係止されるという効果を奏する。
【００１７】
上記構成より成る第４発明のパチンコ遊技機における基板取り付け部材は、前記第１発明ないし第３発明のいずれかにおいて、前記基板取り付け部材の下面に一体的に形成された下方に突出して先端部が略直角に屈曲した前記複数の突出片が、前記遊技盤裏面保護部材の穴部に係止されることにより、前記基板取り付け部材がドライバーなどの工具を用いないで容易に前記遊技盤裏面保護部材に係止されるという効果を奏する。
【００１８】
上記構成より成る第５発明のパチンコ遊技機における基板取り付け部材は、前記第１発明ないし第３発明のいずれかにおいて、前記基板係止部材のその他の部分とは別部材によって構成された前記基板係止部材の少なくとも下端部が、前記基板取り付け部材の前記基板挿入口側の底面部に形成された前記基板係止部材用の穴に挿入された前記その他の部分とが固着手段によって固着されるので、前記基板取り付け部材の前記基板係止部材用の穴への挿入を容易にするという効果を奏する。
【００１９】
上記構成より成る第６発明のパチンコ遊技機における基板取り付け部材は、前記第１発明ないし第３発明のいずれかにおいて、前記基板係止部材が、ゴム状の弾性部材によって構成されているので、前記基板係止部材の弾性変形によって前記基板の挿入および係止を可能にするという効果を奏する。
【発明を実施するための最良の形態】
【００２０】
以下本発明の最良の実施の形態につき実施例に基づき、図面を用いて説明する。
【実施例１】
【００２１】
本第１実施例のパチンコ遊技機における基板取り付け部材は、図１ないし図９に示されるように遊技盤裏面保護部材１に取り付け可能に構成され、内部に中継基板２を収納可能に構成された中継基板取り付け部材３であって、矩形に形成された中継基板取り付け部材３の底面部３０より基板挿入口側の１辺を除く３辺に垂直方向に直立した基板支持壁３２、３３、３４を設けるとともに、該基板支持壁３２、３４には基板保持用の溝３２１、３４１を設け、また、前記基板挿入口側の中継基板取り付け部材の底面部３０１には、複数の基板係止部材用穴５が穿設されるとともに、該複数の基板係止部材用穴５内に介挿され、上端部４１が前記底面部３０より前記基板支持壁３２、３４の前記溝３２１、３４１に挿入された前記中継基板２の下面の高さ以上に突出可能で、且つ、前記底面部３の下面側の前記複数の穴５の段部内に下端４２が収納可能な基板係止部材４を備えているものである。
【００２２】
前記中継基板取り付け部材３は、内部に中継基板２を収納可能に構成されており、長方形に形成された底面部３０と、該底面部３０より基板挿入口側の１辺を除く３辺の端部の上面に垂直方向に直立して配設された基板支持壁３２、３３、３４とから成り、一辺および上部が開口した矩形容器より成る。
【００２３】
対向する前記基板支持壁３２、３４には、前記基板取り付け部材３の前記底面３０と平行となるように基板の挿入が可能なように下端から一定高さの部位に基板保持用の溝３２１、３４１が前記基板挿入口の反対側の部分において長手方向の略半分強の長さに亘り略Ｕ字形の横断面形状に形成されているとともに、残りの前記基板挿入口側の部分は上方が開口した略Ｌ字形の横断面形状に形成されている。
【００２４】
前記中継基板取り付け部材３は、前記底面部３０１の前記基板挿入口側には、複数の基板係止部材用の円形穴５が穿設され、該円形穴５の下部は前記基板係止部材４の下端部４２のフランジ部が収容される大径部５１、上部は前記基板係止部材４の下端部４２の中間部４０が介挿される小径部５２の２つの部分よりなる。
【００２５】
四角形に形成された前記中継基板取付部材３の前記底面部３０より、基板挿入口にあたる１辺を除く３辺に垂直方向に直立した基板支持壁３２、３３、３４を設け、この基板支持壁３２、３４には横側から前記中継基板２を挿入可能なように溝３２１、３４１が設けてあり、該基板保持用の溝により基板の高さと前記３辺の基板支持壁３２、３３、３４の側面によって支持され固定されるようになっている。
【００２６】
対向する前記基板支持壁３２、３４に形成された前記溝３２１、３４１は、前記基板挿入口側（図１中Ｂ−Ｂ線で示す部分）は前記中継基板２が挿入し易いように略Ｌ字状に形成されており、前記基板挿入口側と反対部分の奥の部分（図１中Ａ−Ａ線で示す部分）は略コの字状に形成されている。
【００２７】
次に、基板挿入口にあたる部分には、前記中継基板取付部材３の前記底面部３０より、前記基板支持壁３２、３３、３４の溝３２１、３４１に挿入された前記中継基板２の少なくとも下面より高い位置の時には前記基板支持壁３２、３３、３４の上面の高さ以上に突出可能で、且つ、前記底面部３０に収納可能な位置決め部材としての前記基板係止部材４が設けられており、この位置決め部材は動作原理を説明した図２または図４に示されているように該中継基板取付部材３が遊技盤裏面保護部材１に取付された際には該裏面保護部材１により前面（パチンコ遊技機の背面）に押し出され、前記中継基板２の前記基板挿入口にあたる部分を塞ぐように突出するように構成されている。
【００２８】
外部コンピュータ等に必要なデータを取り出すために、図５に示されるようにパチンコ遊技機１００の背面の主要部を被うように配設された前記遊技盤裏面保護部材１に、払い出し制御基板や主基板および試験信号端子板等（図示せず）に接続されるとともに外部コンピュータ等（図示せず）に接続する中継基板（盤）２を取り付けるものである。
【００２９】
前記遊技盤裏面保護部材１には、放熱、軽量および省資源の観点より多数のスロット１１が複数列形成されているので、前記基板取り付け部材３の前記底面部３０の下面３００に、下方に突出した突出部６０の先端部が直角に同方向（図２および図３中下方）に屈曲して、この屈曲部６１が前記遊技盤裏面保護部材１の穴部としての多数のスロット１１に係合して係止される複数例えば４個の突出片６が、接着され一体的に形成されている。
【００３０】
前記基板係止部材４は、該円形穴５の下部の大径部５１に収容される下端部４２の薄肉のフランジ部と、前記円形穴５の上部の小径部５２に介挿される該小径部５２の径より若干小さな外径の中間部４０と、該中間部４０の上端に一体的に形成され小径部５２の径より大きな径の上端部４１の厚肉のフランジ部とから成る。
【００３１】
上端部４１の厚肉のフランジ部は、図４（Ｂ）に示されるように前記基板係止部材４を収没させた状態では前記基板取り付け部材３の前記底面部３０の上面３００に当接した時、前記基板保持用の溝３２１、３４１に挿入される前記中継基板２の下面に干渉しないように基板保持用の溝３２１、３４１の形成高さより薄く設定されている。
【００３２】
前記基板係止部材４は、前記基板取り付け部材３が前記底面部３０の下面３００が、前記遊技盤裏面保護部材１に当接させて係止されると、図４（Ｃ）に示されるように前記基板係止部材４の前記下端部４２の薄肉のフランジ部が、前記円形穴５の下部の大径部５１に収容されるとともに、前記上端部４１の厚肉のフランジ部が前記基板保持用の溝３２１、３４１に挿入される前記中継基板２の下面より上方に位置して該中継基板２の端部を係止するような長さに設定されている。
【００３３】
前記基板係止部材４の少なくとも下端部４２の薄肉のフランジ部が、図４（Ｄ）に示されるように該基板係止部材４のその他の部分とは別部材によって構成され、前記基板係止部材の少なくともリング状の下端部４２が、前記基板取り付け部材３の前記基板挿入口側の底面部３０１に形成された基板係止部材用の前記円形穴５に挿入されたその他の部分である前記上端部４１の厚肉のフランジ部と一体的な中間部４０との略Ｔ字状の部材の下端の小径部に、固着手段の一例として接着剤によって固着されている。
【００３４】
上記構成より成る第１実施例のパチンコ遊技機における基板取り付け部材は、図６に示されるように前記基板係止部材４を収没させた状態において、前記中継基板取り付け部材３の前記基板保持用の溝３２１、３４１に前記中継基板２が挿入され、前記中継基板２の先端が前記基板支持壁３３に到達するまで挿入される。
【００３５】
前記中継基板２が挿入された前記中継基板取り付け部材３が、前記遊技盤裏面保護部材１の多数のスロット１１に前記複数の突出片６を、係合させて係止させて前記遊技盤裏面保護部材１の所定部位に装着されると、前記中継基板取り付け部材３の表面に前記中継基板取り付け部材３の底面部３０の下面３００が当接するため、図４（Ｃ）に示されるように前記基板係止部材４の前記下端部４２の薄肉のフランジ部が、前記円形穴５の下部の大径部５１に収容されるとともに、前記上端部４１の厚肉のフランジ部が前記基板保持用の溝３２１、３４１に挿入される前記中継基板２の下面より上方に位置して、図６、図７および図９に示されるように該中継基板２の端部を係止して、該中継基板２が前記中継基板取り付け部材３から脱落しないようにするものである。
【００３６】
上記作用を奏する第１実施例のパチンコ遊技機における基板取り付け部材３は、前記基板係止部材４の収没状態においては前記基板の下面より基板係止部材の上端部が下方に位置して前記中継基板２の挿入を可能にするとともに、前記基板係止部材４の突出状態においては前記中継基板２の下面より前記基板係止部材４の前記上端部４１が上方に位置して挿入された前記中継基板２を係止するので、前記基板係止部材４の収没状態および突出状態の操作により、ドライバーなどの工具を用いないで容易に前記基板の挿入および前記基板および前記中継基板取り付け部材の係止および装着を可能にするという効果を奏する。
【００３７】
前記基板取り付け部材３を、前記遊技盤裏面保護部材１の表面側に圧着した状態である時に、前記基板取り付け部材３の前記底面部３０に設けられた位置決め部材としての前記基板係止部材４が前記遊技盤裏面保護部材１の表面に押し付けられることで該基板取り付け部材３の前記底面部３０より突出し、前記基板取り付け部材３の内部に挿入されていた中継基板２の側面を支持することで、該中継基板の位置を確実に固定するものである。
【００３８】
前記基板取り付け部材３に収納する前記中継基板２に位置決め用の前記穴５を複数設け、また、前記基板取り付け部材３の前記底面部３０に位置決め部材としての前記基板係止部材４を複数設け、前記基板取り付け部材３に前記中継基板を予め設定した規定位置に挿入されている状態である場合にのみ、前記中継基板２に設けられた位置決め用の前記穴５と前記基板取り付け部材３に設けられた位置決め部材としての前記基板係止部材４とが正常に組み付け可能である。
【００３９】
第１実施例のパチンコ遊技機における基板取り付け部材は、パチンコ遊技機１００の背面に、払い出し制御基板や主基板、試験信号端子板などに接続された中継基板（盤）２を取り付けることによって外部コンピュータなどとの接続および取付を容易にするという効果を奏するものである。
【００４０】
また本第１実施例のパチンコ遊技機における基板取り付け部材は、前記中継基板２の取付の際にドライバーや手巻きネジなどの道具を用いることなく容易に取付が可能である利点を有しており、前記中継基板２を基板取り付けケース３に横からスライドさせつつ挿入し、この時点では前記中継基板２の差し替え等の作業が容易に行えるものであるが、前記遊技盤裏面保護部材１に押着した際に突出状態の前記基板係止部材４によって前記中継基板２の位置決め、固定が行われる構造となっているため、前記中継基板２の取り付けケース３を前記遊技盤裏面保護部材１の所定位置に取り付けた後では容易に中継基板を取りはずすことができないという利点を有する。
【００４１】
よって、本第１実施例のパチンコ遊技機における基板取り付け部材の中継基板取り付けケース構造によれば、ドライバーなどの工具を用いることなく基板および基板取り付け部材の取り付け、固定が可能となるものであるため、取り付け作業行程が容易に行えるという利点を有する。
【００４２】
また本第１実施例のパチンコ遊技機における基板取り付け部材は、中継基板の一部、もしくは複数箇所に位置決め部材固定用の穴を設けることで、挿入された中継基板が正しい位置に無い時に前記遊技盤裏面保護部材に取り付けても、位置決め部材が前記位置決め部材固定用穴を通過することが無いため、正常に組み付けることができないので、中継基板が正しい位置に有るかどうかを判断することが出来るという利点を有する。
【実施例２】
【００４３】
本第２実施例のパチンコ遊技機における基板取り付け部材は、図１０ないし図１１に示されるように基板係止部材４が、基板取り付け部材３の底面部３０と中継基板２とを挟着することにより、前記中継基板２を係止するようにした点が、上述の第１実施例との主な相違点であり、以下相違点を中心に説明する。
【００４４】
前記基板係止部材４は、例えばゴムまたは軟質合成樹脂のような弾性変形および伸縮可能な材料によって構成され、図１１（Ａ）および（Ｂ）に示されるように下端部４２のフランジ部と、該基板係止部材４のその他の部分とは別部材によって構成されている。
【００４５】
前記基板係止部材４の少なくともナット状の下端部４２の内周面に雌螺子部が形成され、その他の部分であるボルト状の前記上端部４１の厚肉のフランジ部と一体的な中間部４０との略Ｔ字状の部材の下端の外周部に雄螺子部が形成され、前記基板取り付け部材３の前記基板挿入口側の底面部３０１の中央に形成された基板係止部材用の１個の円形穴５に挿入された後、前記ナット状の下端部４２が前記中間部４０の下端の外周部の前記雄螺子部に螺着される。
【００４６】
前記基板取り付け部材３の前記底面部３０は、図１０に示されるように前記基板取り付け部材３の３つの垂直壁である基板支持壁３２、３３、３４の下端より少なくとも前記基板係止部材４のナット状の下端部４２の軸方向の厚さより充分大きな高さ（略３倍）の位置に形成された溝内に介挿されることにより、配置される。
【００４７】
前記基板取り付け部材３の前記底面部３０の下面３００には、下方に突出した突出部６０の先端部が直角に反対方向（図１０および図３中横方向）に屈曲して、この屈曲部６１が前記遊技盤裏面保護部材１の穴部としての多数のスロット１１に係合して係止される複数例えば４個の突出片６が、接着され一体的に形成されている。
【００４８】
図１０において、左方に示されるＬ字状の突出片６は、垂直下方に突出した突出部６０の先端において横方向左方に屈曲した屈曲部６１が充分な長さを有し、右方に示されるＪ字状の突出片６は、垂直下方に突出した突出部６０の先端において横方向右方に屈曲した屈曲部６１は短く、前記スロット１１への侵入および係合を容易にするために下面に傾斜面または円弧面が形成されている。
【００４９】
上記構成より成る第２実施例のパチンコ遊技機における基板取り付け部材は、図１１（Ａ）に示されるように前記基板係止部材４を自重によって前記上端部４１が前記基板取り付け部材３の前記底面部３０の上面に当接する下端に位置する状態において、前記中継基板取り付け部材３の前記基板保持用の溝３２１、３４１に前記中継基板２が挿入され、前記中継基板２の先端が前記基板支持壁３３に到達するまで挿入される。
【００５０】
前記中継基板取り付け部材３内に前記中継基板２が挿入されると、前記基板係止部材４を前記上端部４１が前記基板取り付け部材３の前記底面部３０の上面に当接する下端に位置する状態から上方に引っ張り、図１１（Ｂ）および（Ｃ）に示されるように前記上端部４１が挿入され前記中継基板２の端部を係止するとともに、前記基板係止部材４のナット状の下端部４２が前記基板取り付け部材３の前記底面部３０の下面を係止して、前記中継基板２および前記底面部３０を挟着する。
【００５１】
前記遊技盤裏面保護部材１の多数のスロット１１に前記複数の突出片６を、係合させて係止させることにより、前記中継基板２が前記基板係止部材４によって係止された前記中継基板取り付け部材３を、前記遊技盤裏面保護部材１の所定部位に装着するものである。
【００５２】
すなわちＬ字状の突出片６を、前記スロット１１内に挿入して垂直下方に突出した前記突出部６０の先端が前記スロット１１内壁に当接するまで横方向左方に押し込み、右方に示されるＪ字状の突出片６を、前記スロット１１に係合させ下方へ押し込むことにより先端の頭部が首を振って前記スロット１１に係止させるものである。
【００５３】
上記作用を奏する第２実施例のパチンコ遊技機における基板取り付け部材は、前記基板係止部材４の収没状態において前記基板の下面より基板係止部材の上端部が下方に位置して前記中継基板２の挿入を可能にするとともに、前記基板係止部材４の引っ張りだされた突出状態においては前記中継基板２の上面に前記基板係止部材４の前記上端部４１の下面に係合して前記中継基板２を係止するので、前記基板係止部材４の収没状態および突出状態の操作により、ドライバーなどの工具を用いないで容易に前記基板の挿入および前記基板の係止および装着を可能にするという効果を奏する。
【００５４】
また本第２実施例のパチンコ遊技機における基板取り付け部材は、前記基板取り付け部材３の下面に一体的に形成された下方に突出して先端部が略直角に屈曲した前記複数の突出片６が、前記遊技盤裏面保護部材１の穴部としての前記スロット１１に係止されることにより、前記基板取り付け部材３がドライバーなどの工具を用いないで容易に前記遊技盤裏面保護部材１に係止されるという効果を奏する。
【００５５】
さらに本第２実施例のパチンコ遊技機における基板取り付け部材は、前記基板係止部材４のその他の部分とは別部材によって構成された前記基板係止部材の少なくともナット状の下端部４２の回転によって、前記基板取り付け部材３の前記基板挿入口側の底面部３０に形成された前記基板係止部材用の１個の円形穴５に挿入されたボルト状の前記その他の部分４０、４１とが螺着されるので、前記基板取り付け部材の前記基板係止部材用の穴への挿入および下端部４２の装着を容易にするという効果を奏する。
【００５６】
また本第２実施例のパチンコ遊技機における基板取り付け部材は、前記基板係止部材４が、ゴム状の弾性部材によって構成されているので、前記基板係止部材の弾性変形によって  前記中継基板２の挿入および係止を容易かつ確実にするという効果を奏する。
【００５７】
上述の実施例は、説明のために例示したもので、本発明としてはそれらに限定されるものでは無く、特許請求の範囲、発明の詳細な説明および図面の記載から当業者が認識することができる本発明の技術的思想に反しない限り、変更および付加が可能である。
【００５８】
上述の実施例においては、前記基板取り付け部材は、一例として基板支持壁を長辺として２辺、短辺として１辺設け、該短辺に対向する側の一辺を基板挿入口として構成する例について説明したが、本発明としてはそれらに限定されるものでは無く、短辺２辺と長辺１辺を基板支持壁とし、残りの長辺一辺を基板挿入口として構成することも可能である。
【００５９】
さらに、上述の第１実施例においては、前記中継基板２の一端側に複数の位置決め穴５を設け、更に基板取り付けケース３側にも複数の位置決め部材としての前記基板係止部材４を設け、前記中継基板の位置決め穴５と前記中継基板取り付けケース３側の位置決め部材としての前記基板係止部材４とがすべて平行になるように構成することにより、予め規定した正常取り付け位置に基板が挿入されていない場合には前記中継基板が正常に組み付けできないようにすることも可能である。
【００６０】
上述の第２実施例においては、一例として前記基板係止部材４の下端部４２をナット状に構成してその回転によって、前記基板取り付け部材３の前記基板挿入口側の底面部３０に形成された前記基板係止部材用の１個の円形穴５に挿入されたボルト状の前記その他の部分４０、４１に螺着される例について説明したが、本発明としてはそれらに限定されるものではなく、図１２に示されるように前記基板係止部材４の下端部４２の中央に貫通穴４２０を形成するとともに、その他の部分である上端部４１のフランジ部と一体的な中間部４０とから成る略Ｔ字状の部材の前記中間部４０の下端の中央に螺子穴４０２を形成して、前記基板係止部材用の円形穴５に挿入した後、前記基板取り付け部材３の前記底面部３０の下面の下方より前記下端部４２を前記中間部４０の下端に当接させてビスＢによって締着する態様も採用可能である。
【００６１】
また図１３（Ａ）および（Ｂ）に示されるように前記基板係止部材４の下端部４２とその他の部分である上端部４１のフランジ部と中間筒状部４０とを一体的に形成して、前記下端部４２を先細の截頭円錐形状に形成するとともに、下端部４２から中間筒状部４０の殆どの部分に亘り矩形のスロットを形成して、図中上下方向に弾性変形して縮径することを可能に構成して、前記中継基板２が前記中継基板取り付け部材３内に挿入された後、前記基板係止部材４の截頭円錐形状の前記下端部４２を前記基板取り付け部材３の前記底面部３０の円形穴５に挿入して押し込むと、前記基板係止部材４の前記下端部４２および前記中間筒状部４０が図中上下方向に弾性変形して縮径して、前記円形穴５を通過すると拡径して前記円形穴５の下面に前記基板係止部材４の下端部４２の上端面の直角部が係止するとともに、前記基板係止部材４の前記上端部４１が前記中継基板２の側端２４を係止する態様も採用可能である。
【００６２】
さらに前記基板係止部材４をゴムまたは軟質合成樹脂のような伸縮自在な材料によって構成して、その下端部４２とその他の部分である上端部４１のフランジ部と中間筒状部４０とを一体的に形成して、前記中継基板２が前記中継基板取り付け部材３内に挿入された後、前記基板係止部材４の前記下端部４２を前記基板取り付け部材３の前記底面部３０の円形穴５に挿入して押し込むと、前記基板係止部材４の前記下端部４２が伸縮自在な性質によって縮径して細長くなり、前記円形穴５を通過すると復元して拡径して前記円形穴５の下面に前記基板係止部材４の下端部４２の上端面の直角部が係止するとともに、前記基板係止部材４の前記上端部４１が前記中継基板２の側端２４を係止する態様も採用可能である。
【００６３】
また図１０に示される実施例において、左方に示されるＬ字状の突出片６と、右方に示されるＪ字状の突出片６とを用いる例について説明したが、本発明としてはそれらに限定されるものでは無く、図１４に示されるように左方に示される屈曲した長い水平部分を有するＬ字状の突出片６と、右方に示される屈曲した短い水平部分を有するＬ字状の突出片６とを用い、長い水平部分を有するＬ字状の突出片６が、右方に示される屈曲した短い水平部分を有するＬ字状の突出片６とを用いる態様も採用可能で、すなわち長い水平部分を有する左方のＬ字状の突出片６を、前記スロット１１内に挿入して垂直下方に突出した前記突出部６０の先端が前記スロット１１内壁に当接するまで横方向左方に押し込み（図１４中一点鎖線で示す状態）、右方に示されるＪ字状の突出片６を、前記スロット１１に挿入して、垂直下方に突出した前記突出部６０の先端が前記スロット１１内壁に当接するまで横方向右方に押し込み（図１４中実線で示す状態）前記スロット１１に係止させるとともに、左方のＬ字状の突出片６は長い水平部分の先端部分で前記スロット１１に係止させる態様も採用可能である。
【００６４】
上述の実施例においては、前記位置決め部材としての前記基板係止部材４の形状の一例として筒状のものを採用したが、本発明としてはそれらに限定されるものでは無く、横断面形状は楕円形状や四角形や多角形であってもよいのである。
【産業上の利用可能性】
【００６５】
遊技盤裏面保護部材に取り付け可能に構成され、内部に中継基板を収納可能に構成された中継基板取り付け部材であって、矩形に形成された中継基板取り付け部材の底面部より基板挿入口側の１辺を除く３辺に垂直方向に直立した基板支持壁を設けるとともに、該基板支持壁には基板保持用の溝を設け、また、前記基板挿入口側の中継基板取り付け部材の底面部には、複数の基板係止部材用穴が穿設されるとともに、該複数の基板係止部材用穴内に介挿され、上端部が前記底面部より前記基板支持壁の前記溝に挿入された前記中継基板の下面の高さ以上に突出可能で、且つ、前記底面部３の下面側の前記複数の穴の段部内に下端が収納可能な基板係止部材を備え、ドライバーなどの工具を用いないで容易に前記基板の挿入および前記基板および前記中継基板取り付け部材の係止および装着を可能にして、外部コンピュータ等に必要なデータの取り出しを可能にする用途にも適用できる。
【図面の簡単な説明】
【００６６】
【図１】本発明の第１実施例のパチンコ遊技機における基板取り付け部材を示す平面図である。
【図２】本第１実施例の基板取り付け部材を示す側面図である。
【図３】本第１実施例の基板取り付け部材を示す図１中Ａ−Ａ線に沿う横断面図およびＢ−Ｂ線に沿う横断面図である。
【図４】本第１実施例の基板取り付け部材における基板係止部材の各位置および基板係止部材の組み付け構造を説明するための説明図である。
【図５】本第１実施例のパチンコ遊技機を示す背面図である。
【図６】本第１実施例の基板取り付け部材に中継基板が挿入された状態を示す平面図である。
【図７】本第１実施例の基板取り付け部材に中継基板が挿入された状態を示す側面図である。
【図８】本第１実施例の基板取り付け部材に中継基板が挿入された状態を示す図１中Ａ−Ａ線に沿う横断面図である。
【図９】本第１実施例の基板取り付け部材に中継基板が挿入された状態を示す図１中Ｂ−Ｂ線に沿う横断面図である。
【図１０】本発明の第２実施例のパチンコ遊技機における基板取り付け部材を示す断面図である。
【図１１】本第２実施例の基板取り付け部材における基板係止部材の各位置および基板係止部材による中継基板の係止態様を説明するための説明図である。
【図１２】本発明のその他の態様における基板係止部材の各部材を示す展開図および基板係止部材の係止態様を説明するための説明図である。
【図１３】本発明のその他の態様における基板係止部材および基板係止部材の係止態様を説明するための説明図である。
【図１４】本発明のその他の態様における突出片の係止態様を説明するための説明図である。
【符号の説明】
【００６７】
１  遊技盤裏面保護部材
２  中継基板
３  中継基板取り付け部材
４  基板係止部材
５  基板係止部材用穴
３０  底面部
３２、３３、３４  基板支持壁
４２  下端
３２１、３４１  基板保持用の溝
３０１  基板挿入口側の中継基板取り付け部材の底面部
【図１】
2006141742.tif 000003
【図２】
2006141742.tif 000004
【図３】
2006141742.tif 000005
【図４】
2006141742.tif 000006
【図５】
2006141742.tif 000007
【図６】
2006141742.tif 000008
【図７】
2006141742.tif 000009
【図８】
2006141742.tif 000010
【図９】
2006141742.tif 000011
【図１０】
2006141742.tif 000012
【図１１】
2006141742.tif 000013
【図１２】
2006141742.tif 000014
【図１３】
2006141742.tif 000015
【図１４】
2006141742.tif 000016